(57)【特許請求の範囲】
【請求項１】
カーシェアリング用の車両を駐車するための駐車場予約システムであって、
駐車場予約装置と駐車場管理サーバとが互いに通信可能に接続され、
前記駐車場予約装置が、
ユーザからの操作に応じて、所定の駐車場を決定する駐車場決定手段と、
前記決定した駐車場が、所定時間に満車であるか否かを、前記駐車場管理サーバに問合せる問合手段と、を備え、
前記駐車場管理サーバが、
前記駐車場が所定時間に満車であるか否かを判断する満車判断手段と、
前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信手段と、を備える、駐車場予約システム。
【請求項２】
請求項１に記載の駐車場予約システムであって、
前記駐車場予約装置の駐車場決定手段は、ユーザから行き先となる目的地を受付けることで、当該目的地の周辺の駐車場が、前記所定の駐車場となることで、駐車場を決定する、駐車場予約システム。
【請求項３】
請求項１に記載の駐車場予約システムであって、
前記駐車場管理サーバの出庫要求データ送信手段は、予め当該駐車場管理サーバに登録され、当該駐車場のスペースを確保する業務を行う移動担当者と対応付けられた端末に対して、前記出庫要求データを送信する駐車場予約システム。
【請求項４】
請求項１に記載の駐車場予約システムであって、
前記駐車場管理サーバの出庫要求データ送信手段は、予め当該駐車場管理サーバに登録され、当該駐車場に駐車中の車両の利用希望者と対応付けられた端末に対して、前記出庫要求データを送信する駐車場予約システム。
【請求項５】
請求項１に記載の駐車場予約システムであって、
前記駐車場管理サーバの出庫要求データ送信手段は、当該駐車場に駐車中の車両を利用している駐車利用者と対応付けられた端末に対して、前記出庫要求データを送信する駐車場予約システム。
【請求項６】
請求項５に記載の駐車場予約システムであって、
前記駐車場管理サーバの出庫要求データ送信手段は、前記駐車場利用スケジュールに含まれる予定出庫時間より早めの出庫要求に応じて出庫した場合に料金を割引するデータを、前記駐車利用者と対応付けられた端末に対して、送信する駐車場予約システム。
【請求項７】
カーシェアリング用の車両を駐車するための駐車場予約装置と駐車場管理サーバとが互いに通信可能に接続された駐車場予約システムが実行する方法であって、
前記駐車場予約装置が、
ユーザからの操作に応じて、所定の駐車場を決定する駐車場決定ステップと、
前記決定した駐車場が、所定時間に満車であるか否かを、前記駐車場管理サーバに問合せる問合ステップと、を実行し、
前記駐車場管理サーバが、
前記駐車場が所定時間に満車であるか否かを判断する満車判断ステップと、
前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信ステップと、を実行する方法。
【請求項８】
カーシェアリング用の車両を駐車するための駐車場予約装置と駐車場管理サーバとが互いに通信可能に接続された駐車場システムに実行させるためのシステム用プログラムであって、
前記駐車場予約装置に、
ユーザからの操作に応じて、所定の駐車場を決定する駐車場決定ステップ、
前記決定した駐車場が、所定時間に満車であるか否かを、前記駐車場管理サーバに問合せる問合せステップ、を実行させるための駐車場予約装置用プログラムと、
前記駐車場管理サーバに、
前記駐車場が所定時間に満車であるか否かを判断する満車判断ステップ、
前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信ステップ、を実行させるための駐車場管理サーバ用プログラムと、から構成されるシステム用プログラム。
【発明の詳細な説明】
【技術分野】
【０００１】
本発明は、駐車場予約システム、駐車場予約方法及び、駐車場予約プログラムに関し、特に、情報通信技術を活用して、顧客が遠隔から車両の駐車場を予約する技術に関する。
【背景技術】
【０００２】
今日、環境問題に対しての意識が向上していることから、社会に優しい車や、社会に優しい交通システムが望まれている。特に、ＣＯ２排出量の削減の観点から、カーシェアリングが注目されている。カーシェアリングは、一般的には、レンタカーよりも、短時間でかつ短距離で車両を利用するサービスである。例えば、カーシェアリングは、商店街周辺や市役所周辺など、コミュニティの一定地域で利用される。すなわち、カーシェアリングは、地域性のある狭い領域で行われることで、車両の利用効率とＣＯ２の削減効果を高めることが可能である。また、このカーシェアリングを行うための車両は、電気自動車やハイブリッド自動車であることで、さらに、削減効果を高めることが可能である。
【０００３】
このカーシェアリングを効率的に実行するためには、車両を利用する利用者が、駐車している車の状況を的確に把握する必要がある。一例として、利用者は、携帯電話等の端末で、現在、駐車中の車両や、これから駐車予定の車両の状況を把握して、駐車場を予約することが考えられる。
【０００４】
一方、従来から、遠隔の駐車場を、携帯電話などの端末からシステムを経由して予約する方法が知られている。例えば、特許文献１及び特許文献２では、駐車場の空き情報を公開しておき、走行自動車から利用予約を行うことが記載されている。
【先行技術文献】
【特許文献】
【０００５】
【特許文献１】特開２００６−０９２４７０号公報
【特許文献２】特開２００９−１８７３４６号公報
【発明の概要】
【発明が解決しようとする課題】
【０００６】
しかしながら、特許文献１及び特許文献２では、携帯電話などを利用して駐車場の予約をすることのみに留まる。したがって、例えば、その駐車場が満車の場合は、予約を成立させることはできないため、利用者は駐車場の場所を確保することはできない。しかし、例えば、駐車場が満車時に、駐車場の管理システムが、利用者やその周辺のユーザに、満車にさせている車両の利用を働きかけることで、駐車中の車両を出庫させ、これから利用する利用者が、駐車場を利用することができるようになるのではないかという点に、本発明では着目した。
【０００７】
そこで、本発明では、予約する駐車場が満車であっても、利用者が予約をすることが可能となる駐車場予約システム、駐車場予約方法及び駐車場予約プログラムを提供することを目的とする。
【課題を解決するための手段】
【０００８】
上記課題を解決するため、本発明のシステムは、以下のような解決手段を備える。
（１）カーシェアリング用の車両を駐車するための駐車場予約システムであって、駐車場予約装置と駐車場管理サーバとが互いに通信可能に接続され、前記駐車場予約装置が、ユーザからの操作に応じて、所定の駐車場を決定する駐車場決定手段と、前記決定した駐車場が、所定時間に満車であるか否かを、前記駐車場管理サーバに問合せる問合手段と、を備え、前記駐車場管理サーバが、前記駐車場が所定時間に満車であるか否かを判断する満車判断手段と、前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信手段と、を備えることを特徴とする。
【０００９】
すなわち、駐車場予約装置と駐車場管理サーバとが互いに通信可能に接続された駐車場予約システムにおいて、駐車場予約装置がユーザからの操作に応じて所定の駐車場を決定し、決定した駐車場が、所定時間に満車であるか否かをサーバに問合せる。これに応じて駐車場管理サーバが、駐車場が所定時間に満車であるか否かを判断し、駐車場が所定時間に満車であると判断した場合に、当該駐車場からの出庫を要求する出庫要求データを、通信可能に接続された所定の端末に送信する。したがって、予約する駐車場が満車であっても満車と判明後にその駐車場を利用している他人に出庫を要求することで、要求が成立すれば、駐車場を予約確保することができる。
【００１０】
（２）  上記駐車場予約システムは、さらに以下のような解決手段を備えることができる。前記駐車場予約装置の駐車場決定手段は、ユーザから行き先となる目的地を受付けることで、当該目的地周辺の駐車場を、前記所定の駐車場とすることで、駐車場を決定することを特徴とする。
【００１１】
したがって、ユーザからは、行き先となる目的地の入力を受付けるだけで、駐車場の予約を受け付けることが可能である。
【００１２】
（３）  上記駐車場予約システムは、さらに以下のような解決手段を備えることができる。前記駐車場管理サーバの出庫要求データ送信手段は、予め当該駐車場管理サーバに登録され、当該駐車場のスペースを確保する業務を行う移動担当者と対応付けられた端末に対し、前記出庫要求データを送信することを特徴とする。
【００１３】
したがって、駐車場のスペースを確保する業務を行う移動担当者に対して、予約された駐車場に駐車中の車両の出庫を要求することが可能である。
【００１４】
（４）  上記駐車場予約システムは、さらに以下のような解決手段を備えることができる。前記駐車場管理サーバの出庫要求データ送信手段は、予め当該駐車場管理サーバに登録され、当該駐車場に駐車中の車両の利用希望者と対応付けられた端末に対して、前記出庫要求データを送信することを特徴とする。
【００１５】
したがって、駐車場に駐車中の車両の利用希望者に対し、予約された駐車場に駐車中の車両の出庫を要求することが可能である。
【００１６】
（５）  上記駐車場予約システムは、さらに以下のような解決手段を備えることができる。前記駐車場管理サーバの出庫要求データ送信手段は、当該駐車場に駐車中の車両を利用している駐車利用者と対応付けられた端末に対して、前記出庫要求データを送信することを特徴とする。
【００１７】
したがって、駐車場に駐車中の車両を利用している駐車利用者に対して、予約された駐車場に駐車中の車両の出庫を要求することが可能である。
【００１８】
（６）  上記駐車場予約システムは、さらに以下のような解決手段を備えることができる。前記駐車場管理サーバの出庫要求データ送信手段は、前記駐車場利用スケジュールに含まれる予定出庫時間より早めの出庫要求に応じて出庫した場合に料金を割引するデータを、前記駐車利用者と対応付けられた端末に対して、送信することを特徴とする。
【００１９】
したがって、出庫要求の対応として、出庫した場合に、料金割引をするが可能である。
【００２０】
（７）カーシェアリング用の車両を駐車するための駐車場予約装置と駐車場管理サーバとが互いに通信可能に接続された駐車場予約システムが実行する方法であって、前記駐車場予約装置が、ユーザからの操作に応じて、所定の駐車場を決定する駐車場決定ステップと、前記決定した駐車場が、所定時間に満車であるか否かを、前記駐車場管理サーバに問合せる問合ステップと、を実行し、前記駐車場管理サーバが、前記駐車場が所定時間に満車であるか否かを判断する満車判断ステップと、前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信ステップと、を実行することを特徴とする。
【００２１】
したがって、予約する駐車場が満車であっても、満車と判明後に、他人にその利用している駐車場の出庫を要求することで、要求が成立すれば、駐車場を予約確保することができる方法を提供することができる。
【００２２】
（８）カーシェアリング用の車両を駐車するための駐車場予約装置と駐車場管理サーバとが互いに通信可能に接続された駐車場予約システに実行させる、プログラムであって、前記駐車場予約装置に、ユーザからの操作に応じて、所定の駐車場を決定する駐車場決定ステップ、前記決定した駐車場が、所定時間に満車であるか否かを、前記駐車場管理サーバに問合せる問合せステップ、を実行させるための駐車場予約装置用プログラムと、前記駐車場管理サーバに、前記駐車場が所定時間に満車であるか否かを判断する満車判断ステップ、前記駐車場が所定時間に満車であると判断した場合に、当該駐車場からの出庫を要求する出庫要求データを、前記駐車場の領域ごとに設けられた駐車状況、駐車中の車種、駐車開始時間、予定出庫時間を含んだ駐車場利用スケジュールに基づいて、通信可能に接続された所定の端末に送信する出庫要求データ送信ステップ、を実行させるための駐車場管理サーバ用プログラムと、を備えたことを特徴とする。
【００２３】
したがって、予約する駐車場が満車であっても、満車と判明後に、その駐車場を利用している他人に駐車場の出庫を要求することで、要求が成立すれば、駐車場を予約確保することができるシステム用プログラムを提供することができる。
【発明の効果】
【００２４】
本発明によれば、予約する駐車場が満車であっても、利用者が予約をすることが可能となる駐車場予約システム、駐車場予約方法及び駐車場予約プログラムを提供することができる。
【図面の簡単な説明】
【００２５】
【図１】本発明の好適な実施形態である駐車場予約システム全体を示す図である。
【図２】本発明の好適な実施形態である駐車場予約システムを構成する装置、サーバ及び端末の機能ブロックを示す図である。
【図３】本発明の好適な実施形態である駐車場予約装置１０、駐車場管理サーバ２００が実行する出庫要求基本処理を示すフローチャートである。
【図４】本発明の好適な実施形態である駐車場管理サーバ２００が実行する利用希望者通信処理を示すフローチャートである。
【図５】本発明の好適な実施形態である駐車場管理サーバ２００が実行する移動担当者通信処理を示すフローチャートである。
【図６】本発明の好適な実施形態である駐車場管理サーバ２００が実行する駐車利用者通信処理を示すフローチャートである。
【図７】本発明の好適な実施形態である駐車場管理サーバ２００が記憶する駐車場利用スケジュールの一例を示す図である。
【図８】本発明の好適な実施形態である駐車利用者端末２０に表示される画面イメージを示す図である。
【図９】本発明の好適な実施形態である利用希望者端末４０に表示される画面イメージを示す図である。
【図１０】本発明の好適な実施形態である利用希望者端末４０に表示される画面イメージを示す図である。
【図１１】本発明の好適な実施形態である移動担当者端末３０に表示される画面イメージを示す図である。
【図１２】本発明の好適な実施形態である移動担当者端末３０に表示される画面イメージを示す図である。
【発明を実施するための形態】
【００２６】
以下、添付図面を参照して、本発明を実施するための形態（以下、実施形態）について詳細に説明する。なお、実施形態の説明の全体を通して同じ要素には同じ図番号を付している。
【００２７】
［駐車場予約システムの全体構成］
図１は、駐車場予約システム１の全体構成を示す図である。駐車場予約システム１は、車両１００に搭載された駐車場予約装置１０と、公衆回線網３と、駐車場管理サーバ２００と、複数の車両が駐車するための駐車場であるカーステーション５００（「ＡＢＣ駐車場」）と、を含む。ここでは、説明のために、駐車場とは、一の車両が駐車される一の領域（図１では、Ｎｏ．１と記載された領域のみ）を意味し、カーステーション５００は、個々の駐車場が複数集まった駐車全体の領域（図１では、Ｎｏ．１〜Ｎｏ．３全ての領域）とする。ここで、下記で説明するように、駐車場予約装置１０が決定する駐車場は、一の車両が駐車される一の領域であってもよいが、一般的には、カーステーション５００の場所（すなわち、複数の駐車場が集まった駐車スペース全体の領域）を意味する。
【００２８】
さらに、駐車場予約システム１は、駐車場を利用している駐車利用者２７が所有する駐車利用者端末２０と、車両の移動により駐車場のスペースを確保する業務を行う移動担当者３７が所有する移動担当者端末３０と、車両の利用を希望する利用希望者４７が所有する利用希望者端末４０とを含む。駐車場予約装置１０、駐車場管理サーバ２００、駐車利用者端末２０、移動担当者端末３０及び、利用希望者端末４０は、公衆回線網３を介して、有線、無線を問わず、通信可能に接続されている。
【００２９】
図１の例では、車両１００を運転者が遠隔より運転して、駐車場予約装置１０に目的地を指定して、カーステーション５００（ＡＢＣ駐車場）に駐車すると決定した場合に、駐車場Ｎｏ．１からＮｏ．３の全てが満車であるため、駐車場管理サーバ２００が、駐車利用者端末２０、移動担当者端末３０及び、利用希望者端末４０に出庫要求データを送信することを想定している。
【００３０】
図２に基づいて、駐車場予約システム１の構成要素について説明する。
駐車場予約装置１０は、駐車場を予約するための装置であって、通常、車両に搭載される。駐車場予約装置１０は、カー・ナビゲーション・システムであってもよいし、スマートフォン、携帯電話、ノートパソコン、電子書籍端末、スレート端末等であってもよい。すなわち、駐車場予約装置１０は、制御部１１、データ記憶部１２，データ通信部１３，タッチパネル部１４、ＧＰＳ部１５を備えていれば、家庭用電化製品、業務用電化製品、携帯端末、業務用端末のいずれであってもよい。
【００３１】
制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、データ通信部１３として、無線対応通信デバイスを備え、データ記憶部１２として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等のいずれか又は双方を備える。さらに、タッチパネル部１４として、画像を表示する液晶モニタ等の表示部を備え、ユーザからの入力を受付けるタッチパネルや音声入力等の入力部を備える。
【００３２】
ＧＰＳ部１５は、ＧＰＳ（Ｇｌｏｂａｌ  Ｐｏｓｉｔｉｏｎｉｎｇ  Ｓｙｓｔｅｍ）衛星からの電波を受信することが可能な装置であって、制御部１１との恊働により、ＧＰＳ衛星までの距離を算出することで、地球上の位置（緯度、経度）を算出することが可能な装置である。
【００３３】
データ記憶部１２には、車両を目的地へ誘導する地図データが記憶されている。制御部１１は、データ記憶部１２に記憶された地図データに基づいて、ＧＰＳ部１５が算出した現在位置を参照し、目的地へ車両を誘導する。ここで、データ記憶部１２に地図データを記憶せず、駐車場予約装置１０と通信可能に接続された地図サーバ（図示せず）から地図データを受信して、制御部１１が車両を誘導してもよい。
【００３４】
駐車場予約装置１０は、これらのハードウェアの協働により、駐車場予約受付手段及び、問合手段を実現する。
【００３５】
駐車場管理サーバ２００は、カーステーション５００の駐車場を管理するサーバである。図１では、カーステーション５００（「ＡＢＣ駐車場」）が一つしか図示されていないが、複数のカーステーション５００を駐車場管理サーバ２００で管理可能であってよい。駐車場管理サーバ２００は、制御部２０１、データ記憶部２０２，データ通信部２０３，駐車場データベース２５０、登録会員データベース２７０を備える。
【００３６】
制御部２０１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、データ通信部２０３として、無線対応通信デバイスを備え、データ記憶部２０２として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等のいずれか又は双方を備える。
【００３７】
駐車場データベース２５０は、カーステーションに駐車中の車両の利用状況を管理するためのデータベースであって、各カーステーション５００から取得される駐車場の利用データを管理する装置である。例えば、図７に示すような駐車場利用スケジュールが駐車場データベース２５０に記憶され、管理される。
【００３８】
登録会員データベース２７０は、カーシェアリングを利用するユーザである会員が登録されているデータベースである。登録会員は、駐車利用者、移動担当者、利用希望者が少なくとも含まれ、会員には、会員を識別するＩＤが登録される。会員を識別するＩＤとその会員が使用する端末が対応付けて。登録会員データベース２７０に記憶されている。
【００３９】
制御部２０１は、適宜、駐車場データベース２５０、登録会員データベース２７０にアクセスし、後述する各処理を実行する。
【００４０】
駐車場管理サーバ２００は、これらのハードウェアの協働により、満車判断手段及び、出庫要求データ送信手段を実現する。
【００４１】
駐車利用者端末２０は、駐車場予約装置１０が予約した駐車場を利用している駐車場利用者のための端末であって、スマートフォン、携帯電話、ノートパソコン、電子書籍端末、スレート端末等であってよい。すなわち、駐車利用者端末２０は、制御部２１、データ記憶部２２，データ通信部２３，タッチパネル部２４、ＧＰＳ部２５を備えれば、家庭用電化製品、業務用電化製品、携帯端末、業務用端末のいずれであってもよい。
【００４２】
制御部２１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、データ通信部２３として、無線対応通信デバイスを備え、データ記憶部２２として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等のいずれか又は双方を備える。さらに、タッチパネル部２４として、画像を表示する液晶モニタ等の表示部を備え、ユーザからの入力を受付けるタッチパネルや音声入力等の入力部を備える。
【００４３】
ＧＰＳ部２５は、ＧＰＳ（Ｇｌｏｂａｌ  Ｐｏｓｉｔｉｏｎｉｎｇ  Ｓｙｓｔｅｍ）衛星からの電波を受信することが可能な装置であって、制御部２１との恊働により、ＧＰＳ衛星までの距離を算出することで、地球上の位置（緯度、経度）を算出することが可能な装置である。ＧＰＳ部２５で算出された位置は、駐車場管理サーバ２００に、会員ＩＤとともに対応付けて、逐次、記憶されることが望ましい。
【００４４】
駐車利用者端末２０は、これらのハードウェアの協働により、各種の手段を実現する。
【００４５】
移動担当者端末３０は、駐車場に駐車されている車両を移動することで、駐車スペースを確保する移動担当者のための端末である。駐車利用者端末２０と同様に、スマートフォン、携帯電話、ノートパソコン、電子書籍端末、スレート端末等であってよい。移動担当者端末３０は、駐車利用者端末２０とは使用用途が異なるが、端末のハードウェア構成は同じである。
【００４６】
利用希望者端末４０は、カーシェアリングを利用する駐車利用者のための端末である。利用希望者端末４０は、駐車利用者端末２０と同様に、スマートフォン、携帯電話、ノートパソコン、電子書籍端末、スレート端末等であってよい。利用希望者端末４０は、駐車利用者端末２０とは使用用途が異なるが、端末のハードウェア構成は同じであるため制御部４１等の説明を省略する。
【００４７】
［出庫要求基本処理］
次に、図３を参照して、駐車場予約装置１０と駐車場管理サーバ２００が実行する出庫要求基本処理について説明する。
【００４８】
最初に、駐車場予約装置１０は、駐車場の利用を希望するユーザから、行き先である目的地の入力を受付ける（ステップＳ０１）。駐車場予約装置１０は、ユーザから目的地の入力を受付けるまでは、本処理の処理待ちとなるため、ステップＳ０２に移行しない（ステップＳ０１：「ＮＯ」）。
【００４９】
駐車場予約装置１０は、車両を利用するユーザから、行き先である目的地の入力を受付けた場合（ステップＳ０１：「ＹＥＳ」）は、当該車両１００が電気自動車である場合には、充電池の確認処理を行う（ステップＳ０２）。すなわち、この入力された目的地まで、燃料電池の充電が充分であるか否かを確認する。この充電が充分であるか否かを確認した結果に基づいて、駐車場予約装置１０は、駐車場の場所と駐車開始時間を決定する（ステップＳ０３）。
【００５０】
例えば、駐車場予約装置１０が、目的地までの充電が充分でないと判断した場合は、目的地までの経路上の所定の充電ステーションを駐車場と決定する。この充電ステーションまでの到着時間と出発する時刻により、駐車開始時間が決定される。一方、駐車場予約装置１０が、目的地までの充電が充分であると判断した場合は、目的地の周辺の駐車場を検索し、検索結果から、駐車場を決定してもよい。この決定された駐車場までの到着時間と出発する時刻により、駐車開始時間が決定される。
【００５１】
一方、当該車両１００が、電気自動車やハイブリッド自動車等の充電池により駆動しない自動車である場合には、ステップＳ０２をスキップして実行しなくてよい。
【００５２】
なお、ステップＳ０３の処理は、駐車場予約装置１０と通信可能なサーバとの恊働により、駐車場、駐車開始時間が決定されてもよい。すなわち、駐車場予約装置１０が、カー・ナビゲーション・システムではなく、スマートフォン等の場合では、目的地を入力してもスマートフォン単独で目的地の周辺の駐車場を検索できない場合も多い。そこで、スマートフォンが通信可能に接続されたサーバに、目的地周辺の駐車場の検索要求をして、サーバからその検索結果を得て、駐車場、駐車開始時間が決定されてもよい。
【００５３】
次に、駐車場予約装置１０は、決定された駐車場が、駐車開始時間に予約できるか否かを駐車場管理サーバ２００に問合せる（ステップＳ０４）。これに応じて、駐車場管理サーバ２００は、決定された駐車場の駐車開始時間における空き検索を行う（ステップＳ０５）。
【００５４】
駐車場管理サーバ２００の駐車場データベースには、図７に示すような駐車場利用スケジュールが記憶されている。駐車場利用スケジュールは、駐車場となるカーステーション５００ごとに設けられたテーブルであって、駐車場の領域ごとに設けられたエリア番号と、そのエリアの駐車状況と、その車両の車種と、充電状況と、駐車開始時間と、予定出庫時間とで構成される。
【００５５】
駐車場管理サーバ２００は、決定された駐車場の駐車開始時間における空き検索を、駐車場利用スケジュールを参照して行い、空き（空車スペース）があるか否かを判断する（ステップＳ０６）。
【００５６】
駐車場管理サーバ２００は、空きがあると判断した場合（ステップＳ０６：「ＹＥＳ」）は、当該車両が駐車開始時刻に空きがあるエリア番号の駐車場を利用するとして、駐車場利用スケジュールを更新する。そして、駐車場管理サーバ２００は、予約成立の旨を駐車場予約装置１０に通知し、駐車場予約装置１０はこれを受信する（ステップＳ０７）。そして、駐車場予約装置１０は、予約が成立したことと、駐車開始時間を、ユーザに通知する（ステップＳ１４）。
【００５７】
一方、駐車場管理サーバ２００は、空きがないと判断した場合（ステップＳ０６：「ＮＯ」）は、予約不成立の旨を駐車場予約装置１０に送信（ステップＳ０８）し、後述する利用希望者通信処理（ステップＳ０９）、移動担当者通信処理（ステップＳ１０）、駐車利用者通信処理（ステップＳ１１）を実行する。
【００５８】
これらの処理（ステップＳ０９〜Ｓ１１）により、駐車場管理サーバ２００が所定の端末から承諾データを、所定の時間内に受信した場合（ステップＳ１２：「ＹＥＳ」）は、その承諾データに示される駐車開始時間で、予約が成立する。そして、駐車場予約装置１０は、予約が成立したことと、駐車開始時間を、ユーザに通知する（ステップＳ１４）。
【００５９】
ステップＳ０９からＳ１１において、駐車場管理サーバ２００は、駐車利用者端末２０、移動担当者端末３０、利用希望者端末４０のいずれかから、承諾データを受信する。そして、駐車場管理サーバ２００は、受信した承諾データに含まれるその者が承諾した出庫時間を、駐車開始時間とする。すなわち、出庫を承諾した時間が、ユーザにとっては駐車の開始が可能な時間となる。そして、この承諾データを駐車場予約装置１０に送信する。
【００６０】
ステップＳ０９からＳ１１により、駐車場管理サーバ２００が所定の端末から承諾データを、所定の時間内に受信しなかった場合（ステップＳ１２：「ＮＯ」）は、現時点では予約が不成立であると判断して、ステップＳ０３に処理を戻し、再度、駐車場、駐車開始時間を決定する。この際に、ユーザに、目的地周辺の駐車場の空きがなく、かつ、ステップＳ０９からＳ１１の処理により、駐車場に駐車している車両を出庫させることも不可能であるため、目的地の変更を促したり、目的地よりもやや離れた地点への駐車の許可を促すようにメッセージを表示してもよい。
【００６１】
［利用希望者通信処理］
図４を参照して、出庫要求基本処理のステップＳ０９における、利用希望者通信処理について説明する。駐車場管理サーバ２００は、駐車場予約装置１０から決定された駐車場の周辺にいる利用希望者を検索する（ステップＳ２０）。すなわち、利用希望者端末４０のＧＰＳ部４５は、逐次、利用希望者端末４０の位置を、駐車場管理サーバ２００に送信しており、この利用希望者端末４０の位置と決定された駐車場の位置を比較し、この駐車場の周辺にいる利用希望者端末４０を検索する。
【００６２】
駐車場管理サーバ２００は、利用希望者を検索できた場合（ステップＳ２１：「ＹＥＳ」）は、ステップＳ２２に処理を移し、利用希望者を検索できなかった場合（ステップＳ２１：「ＮＯ」）は、処理を終了し、次の、移動担当者通信処理に処理を移す（ステップＳ１０）。
【００６３】
駐車場管理サーバ２００は、利用希望者の属性を確認する（ステップＳ２２）。利用希望者の属性は、駐車場管理サーバ２００に登録ＩＤと対応付けて記憶されている利用希望者の利用条件を示す情報であって、例えば、利用希望者が利用する時間帯、曜日、車種の条件、充電状況、などである。これらの属性を、駐車場予約装置１０から予約があった時間帯、曜日と比較し、かつ、駐車場予約装置１０から予約があった駐車場に駐車している車両の車種、充電状況と比較する。そして、これらの属性が満たされる利用希望者のみを抽出しておく。
【００６４】
次に、駐車場管理サーバ２００は、利用希望者に車両を利用させるために提示する料金を決定する（ステップＳ２３）。すなわち、利用希望者が、この駐車場に駐車している車両を出庫させるために、駐車場管理サーバ２００が、利用希望者に利用を促す料金を決定する。料金の決定は、予め設定された料金を参照して決定してよい。例えば、駐車場予約装置１０が決定した駐車開始時間後に出庫できる場合と、駐車開始時間前に出庫できる場合とで、異なる料金を決定してもよい。すなわち、駐車場予約装置１０が決定した駐車開始時間前に出庫できる場合は、駐車開始時間後に出庫できる場合よりも、利用料金を安くする。また、先で抽出された利用希望者が少ないときは、車両が利用される可能性が低いことから、料金をさらに安くしてもよい。
【００６５】
次に、駐車場管理サーバ２００は、利用希望者に車両を出庫してほしい時間（提示時間）を決定する（ステップＳ２４）。すなわち、利用希望者が、駐車場予約装置１０が決定した駐車開始時間に、決定された駐車場の周辺にいると判断できる場合には、駐車開始時間が提示時間として決定される。利用希望者が決定された駐車場の周辺ではなく、やや離れた場所にいる場合は、駐車開始時間よりも少し遅れた時間を提示時間として決定してよい。
【００６６】
次に、駐車場管理サーバ２００は、上記で決定した料金と、提示時間に基づいて、出庫要求データを生成し、先に抽出した全ての利用希望者端末４０に送信する（ステップＳ２５）。
【００６７】
出庫要求データは、出庫を要求する提示時間と、利用希望者が利用する料金と、駐車場予約装置１０が決定した駐車場の情報と、から構成される。出庫要求データに、出庫を希望する駐車場のエリア番号と、そのエリア番号に駐車している車種や充電状況が含まれてもよい。
【００６８】
図９、図１０に示すように、利用希望者である登録ＩＤ：「ＫＥＮ」は、出庫要求データをメール配信等で利用希望者端末４０より受信し、駐車場の情報、車種、充電状況を確認する。これに応じて、利用希望者は、図１０に示す「承諾」、「断る」等のアイコンを操作する。図１０では、一例として、１３時５０分が、駐車場管理サーバ２００が決定した提示時間である。利用希望者が「承諾」のアイコンを操作した場合は、利用希望者端末４０が、提示された提示時間で、利用希望者が出庫することを承諾した旨を示す承諾データを駐車場管理サーバ２００に送信する。
【００６９】
これに対して、利用希望者が、図１０に示す「３分遅れた時間なら承諾できる」、「５分遅れた時間なら承諾できる」等のアイコンを操作した場合には、提示時間より、対応する時間を遅らせて、利用希望者が出庫することを承諾した旨を示す承諾データを駐車場管理サーバ２００に送信する。例えば、「３分遅れた時間なら承諾できる」のアイコンを操作した場合は、提示時間より３分遅らせて、利用希望者が出庫することを承諾した旨を示す承諾データを駐車場管理サーバ２００に送信する。
【００７０】
次に、駐車場管理サーバ２００は、承諾データを利用希望者端末４０から受信した場合（ステップＳ２６：「ＹＥＳ」）には、ステップＳ２７に処理を移す。駐車場管理サーバ２００は、承諾データを利用希望者端末４０から受信しない場合（ステップＳ２６：「ＮＯ」）には、本処理を終了して、次の、移動担当者通信処理に処理を移す（ステップＳ１０）。
【００７１】
なお、駐車場管理サーバ２００は、承諾データを複数の利用希望者端末４０から受信した場合は、提示料金が一番高くても承諾した利用希望者を採用してもよい。採用しなかった他の利用希望者の利用希望者端末４０には、先に申し込みが入ったことを通知するメッセージを送信してもよい。
【００７２】
次に、駐車場管理サーバ２００は、駐車場予約装置１０に承諾データを送信（ステップＳ２７）して、処理を終了する。
【００７３】
［移動担当者通信処理］
図５を参照して、出庫要求基本処理のステップＳ１０における、移動担当者通信処理について説明する。駐車場管理サーバ２００は、駐車場予約装置１０から決定された駐車場の周辺にいる移動担当者を検索する（ステップＳ３０）。すなわち、移動担当者端末３０のＧＰＳ部３５は、逐次、移動担当者端末３０の位置を、駐車場管理サーバ２００に送信しており、この移動担当者端末３０の位置と決定された駐車場の位置を比較し、この駐車場の周辺にいる移動担当者端末３０を検索する。
【００７４】
駐車場管理サーバ２００は、移動担当者を検索できた場合（ステップＳ３１：「ＹＥＳ」）は、ステップＳ３２に処理を移し、移動担当者を検索できなかった場合（ステップＳ３１：「ＮＯ」）は、処理を終了し、次の、駐車利用者通信処理に処理を移す（ステップＳ１１）。
【００７５】
駐車場管理サーバ２００は、移動担当者の属性を確認する（ステップＳ３２）。移動担当者の属性は、駐車場管理サーバ２００に登録ＩＤと対応付けて記憶されている移動担当者の移動を行う条件を示す情報であって、例えば、移動担当者が移動を行う時間帯、曜日などである。これらの属性を、駐車場予約装置１０から予約があった時間帯、曜日と比較する。そして、これらの属性が満たされる移動担当者のみを抽出しておく。
【００７６】
次に、駐車場管理サーバ２００は、移動担当者に車両を移動させるために提示する料金を決定する（ステップＳ３３）。すなわち、移動担当者がこの駐車場に駐車している車両を出庫するために、駐車場管理サーバ２００が、移動担当者に労働対価として妥当な料金を決定する。料金の決定は、予め設定された料金を参照して決定してよい。例えば、駐車場予約装置１０が決定した駐車開始時間後に出庫できる場合と、駐車開始時間前に出庫できる場合とで、異なる料金を決定してもよい。すなわち、駐車場予約装置１０が決定した駐車開始時間前に出庫できる場合は、駐車開始時間後に出庫できる場合よりも、提示する料金を安くする。また、先で抽出された移動担当者が少ないときは、車両を移動してくれる可能性が低いことから、料金をさらに安くしてもよい。
【００７７】
次に、駐車場管理サーバ２００は、移動担当者に車両を出庫してほしい時間（提示時間）を決定する（ステップＳ３４）。すなわち、移動担当者が、駐車場予約装置１０が決定した駐車開始時間に、決定された駐車場の周辺にいると判断できる場合には、駐車開始時間が提示時間として決定される。移動担当者が決定された駐車場の周辺ではなく、やや離れた場所にいる場合は、駐車開始時間よりも少し遅れた時間を提示時間として決定してよい。
【００７８】
次に、駐車場管理サーバ２００は、上記で決定した料金と、提示時間に基づいて、出庫要求データを生成し、先に抽出した全ての移動担当者端末３０に送信する（ステップＳ３５）。
【００７９】
出庫要求データは、出庫を要求する提示時間と、移動担当者に移動してもらう賃金である移動料金と、駐車場予約装置１０が決定した駐車場の情報と、から構成される。出庫要求データに、出庫してもらいたい駐車場のエリア番号と、そのエリア番号に駐車している車種が含まれていてもよい。
【００８０】
図１１、図１２に示すように、移動担当者である登録ＩＤ：「ＳＵＭ」は、出庫要求データをメール配信等で移動担当者端末３０より受信し、駐車場の情報、車種、提示時間を確認する。メッセージとしては、「ＡＢＣカーステーションに、１３：５０（１０分後）までに行って、Ｎｏ．３の車をＸＹＺカーステーションまで、移動していただけませんか？移動時間は、車で約１５分です。」と表示される。移動する場所の地図と、移動担当者の現在地が、移動担当者端末３０に表示されてよい。
【００８１】
これに応じて、移動担当者は、図１２に示す「承諾」、「断る」等のアイコンを操作する。図１２では、一例として、１３時５０分が、駐車場管理サーバ２００が決定した提示時間である。移動担当者が「承諾」のアイコンを操作した場合は、移動担当者端末３０が、提示された提示時間で、移動担当者が出庫することを承諾した旨を示す承諾データを駐車場管理サーバ２００に送信する。
【００８２】
これに対して、移動担当者が、図１２に示す「３分遅れた時間なら承諾できる」、「５分遅れた時間なら承諾できる」等のアイコンを操作した場合には、提示時間より、対応する時間を遅らせて、移動担当者が出庫することを承諾した旨を示す承諾データを駐車場管理サーバ２００に送信する。例えば、「３分遅れた時間なら承諾できる」のアイコンを操作した場合は、提示時間より３分遅らせて、移動担当者が出庫することを承諾した旨を示す承諾データを駐車場管理サーバ２００に送信する。
【００８３】
次に、駐車場管理サーバ２００は、承諾データを移動担当者端末３０から受信した場合（ステップＳ３６：「ＹＥＳ」）には、ステップＳ３７に処理を移す。駐車場管理サーバ２００は、承諾データを移動担当者端末３０から受信しない場合（ステップＳ３６：「ＮＯ」）には、本処理を終了して、次の、駐車利用者通信処理に処理を移す（ステップＳ１１）。
【００８４】
なお、駐車場管理サーバ２００は、承諾データを複数の移動担当者端末３０から受信した場合は、提示料金が一番安くても承諾してくれた移動担当者を採用してもよい。採用しなかった移動担当者の移動担当者端末３０には、先に申し込みが入ったことを通知するメッセージを送信してもよい。
【００８５】
次に、駐車場管理サーバ２００は、駐車場予約装置１０に承諾データを送信（ステップＳ３７）して、処理を終了する。
【００８６】
［駐車利用者通信処理］
図６を参照して、出庫要求基本処理のステップＳ１１における、駐車利用者通信処理について説明する。駐車場管理サーバ２００は、駐車場予約装置１０から決定された駐車場の周辺にいる駐車利用者を検索する（ステップＳ４０）。すなわち、駐車利用者端末２０のＧＰＳ部２３は、逐次、端末の位置を、駐車場管理サーバ２００に送信しており、この端末の位置と決定された駐車場の位置を比較し、この駐車場の周辺にいる駐車利用者端末２０を検索する。
【００８７】
駐車場管理サーバ２００は、駐車利用者を検索できた場合（ステップＳ４１：「ＹＥＳ」）は、ステップＳ４２に処理を移し、駐車利用者を検索できなかった場合（ステップＳ４１：「ＮＯ」）は、処理を終了し、承諾データは受信できなかったとして、次の、駐車場予約装置１０のステップＳ１２に処理を移す。
【００８８】
駐車場管理サーバ２００は、駐車利用者の属性を確認する（ステップＳ４２）。駐車利用者の属性とは、駐車場管理サーバ２００に登録ＩＤと対応付けて記憶されている駐車利用者が、駐車中に、出庫要求データを受信するか否かを判断するための情報である。この属性を確認し、属性が満たされる駐車利用者のみを抽出しておく。
【００８９】
次に、駐車場管理サーバ２００は、駐車利用者に早めの出庫を促すために提示する料金を決定する（ステップＳ４３）。すなわち、この駐車場に駐車している車両を早めに出庫させるために、駐車場管理サーバ２００が、駐車利用者に妥当な料金（この時間までに、この駐車場に駐車した駐車料金を、予定よりも早めの出庫を依頼するということで、所定額だけ割引した料金を提示する等）を決定する。料金の決定は、予め設定された料金を参照して決定してよい。例えば、駐車場予約装置１０が決定した駐車開始時間後に出庫できる場合と、駐車開始時間前に出庫できる場合とで、異なる料金を決定してもよい。すなわち、駐車場予約装置１０が決定した駐車開始時間前に出庫できる場合は、駐車開始時間後に出庫できる場合よりも、提示する料金を安くする。また、先で抽出された駐車利用者が少ないときは、車両が出庫する可能性が低いことから、料金をさらに安くしてもよい。
【００９０】
次に、駐車場管理サーバ２００は、駐車利用者に車両を出庫してほしい時間（提示時間）を決定する（ステップＳ４４）。すなわち、駐車利用者が、駐車場予約装置１０が決定した駐車開始時間に、決定された駐車場の周辺にいると判断できる場合には、駐車開始時間が提示時間として決定される。駐車利用者が決定された駐車場の周辺ではなく、やや離れた場所にいる場合は、駐車開始時間よりも少し遅れた時間を提示時間として決定してよい。
【００９１】
次に、駐車場管理サーバ２００は、上記で決定した料金と、提示時間に基づいて、出庫要求データを生成し、先に抽出した全ての駐車利用者端末２０に送信する（ステップＳ４５）。
【００９２】
出庫要求データは、出庫を要求する提示時間と、駐車利用者に提示する料金と、駐車場予約装置１０が決定した駐車場の情報と、から構成される。出庫要求データに、出庫してもらいたい駐車場のエリア番号が含まれていてもよい。
【００９３】
図８に示すように、駐車利用者である登録ＩＤ：「ＴＯＭ」は、出庫要求データをメール配信等で駐車利用者端末２０より受信し、提示時間を確認する。これに応じて、駐車利用者は、図８に示す「承諾」、「断わる」等のアイコンを操作する。図８では、一例として、１３時５０分が、駐車場管理サーバ２００が決定した提示時間である。駐車利用者が「承諾」のアイコンを操作した場合は、駐車利用者端末２０が、提示された提示時間で、駐車利用者が出庫することを承諾した旨を示す承諾データを駐車場管理サーバ２００に送信する。
【００９４】
これに対して、駐車利用者が、図８に示す「３分遅れた時間なら承諾できる」、「５分遅れた時間なら承諾できる」等のアイコンを操作した場合には、提示時間より、対応する時間を遅らせて、駐車利用者が出庫することを承諾した旨を示す承諾データを駐車場管理サーバ２００に送信する。例えば、「３分遅れた時間なら承諾できる」のアイコンを操作した場合は、提示時間より３分遅らせて、駐車利用者が出庫することを承諾した旨を示す承諾データを駐車場管理サーバ２００に送信する。
【００９５】
次に、駐車場管理サーバ２００は、承諾データを駐車利用者端末２０から受信した場合（ステップＳ４６：「ＹＥＳ」）には、ステップＳ４７に処理を移す。駐車場管理サーバ２００は、承諾データを駐車利用者端末２０から受信しない場合（ステップＳ４６：「ＮＯ」）には、本処理を終了して、承諾データは受信できなかったとして、駐車場予約装置１０のステップＳ１２に処理を移す。
【００９６】
なお、駐車場管理サーバ２００は、承諾データを複数の駐車利用者端末２０から受信した場合は、提示料金が一番安くても承諾してくれた駐車利用者を採用してもよい。採用しなかった駐車利用者の駐車利用者端末２０には、先に申し込みが入ったことを通知するメッセージを送信してもよい。
【００９７】
次に、駐車場管理サーバ２００は、駐車場予約装置１０に承諾データを送信（ステップＳ４７）して、処理を終了する。
【００９８】
なお、駐車利用者が、利用する駐車場を予約する際に、駐車してから所定時間経過後に、出庫要求データを受信してもよい旨を予め登録可能であってよい。このような態様によれば、駐車場予約装置１０は、優先的に、出庫要求データを送信する駐車利用者端末２０を選択することが可能である。
【００９９】
なお、カーステーション５００が、機械式駐車場の場合に、決定された提示時間に、駐車された車両１００を、出庫口に誘導し、出庫場所に移動するように構成されていてもよい。
【０１００】
なお、利用希望者端末４０、移動担当者端末３０、駐車利用者端末２０への出庫要求データの送信は、メールやショートメッセージで送信してもよいが、ＳＮＳ（ソーシャル・ネットワーキング・サービス）への投稿であったり、つぶやき等の情報発信であってもよい。
【０１０１】
上述した手段、機能は、コンピュータ（ＣＰＵ，サーバ、装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【０１０２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【０１０３】
１      駐車場予約システム
３      公衆回線網
１０    駐車場予約装置
２０    駐車利用者端末
２７    駐車利用者
３０    移動担当者端末
３７    移動担当者
４０    利用希望者端末
４７    利用希望者
２００  駐車場管理サーバ
２５０  駐車場データベース
２７０  登録会員データベース
５００  カーステーション
【図１】
0005715466.tif 000002
【図２】
0005715466.tif 000003
【図３】
0005715466.tif 000004
【図４】
0005715466.tif 000005
【図５】
0005715466.tif 000006
【図６】
0005715466.tif 000007
【図７】
0005715466.tif 000008
【図８】
0005715466.tif 000009
【図９】
0005715466.tif 000010
【図１０】
0005715466.tif 000011
【図１１】
0005715466.tif 000012
【図１２】
0005715466.tif 000013